(57)【要約】【課題】添筋重ね継手における総重ね長さを短くし、かつ、施工が容易な接続構造を提供する。【解決手段】互いに向かい合う主筋間を略同軸上に接続する主筋接続部と、前記主筋接続部が埋設されるコンクリート部と、を有し、  前記主筋接続部は、前記主筋間に跨ってこれらに重ね合わせて配設される添筋と、前記添筋と前記主筋とに巻き付くように配設されるらせん筋と、を備え、  前記添筋は、当該添筋が重ね合わされる前記主筋と当該主筋に隣接する主筋とのそれぞれの軸線を通る面よりも前記コンクリート部の内方に配設された接続構造。【選択図】図２
2018025035.tif 000002
【特許請求の範囲】
【請求項１】
ＲＣまたはＳＲＣ構造物の主筋間を接続する接続構造であって、
互いに向かい合う主筋間を略同軸上に接続する主筋接続部と、
前記主筋接続部に打設され、前記主筋接続部が埋設されるコンクリート部と、を有し、
前記主筋接続部は、
前記主筋間に跨ってこれらに重ね合わせて配設される添筋と、
前記添筋と前記主筋とに巻き付くように配設されるらせん筋と、を備え、
前記添筋は、当該添筋が重ね合わされる前記主筋と当該主筋に隣接する主筋とのそれぞれの軸線を通る面よりも前記コンクリート部の内方に配設されたことを特徴とする接続構造。
【請求項２】
二本の主筋を端面同士が対向するように設置する工程、
前記主筋のいずれかに添筋を仮留めし、該主筋および該主筋と対向する主筋のいずれか、または両方にらせん筋を配置する工程、
前記添筋をスライドさせて、前記らせん筋の内側を通り、前記二本の主筋を跨ぐ位置に移動させる工程、
コンクリートを打設する工程、
を有することを特徴とする接続工法。
【発明の詳細な説明】
【技術分野】
【０００１】
本発明は、ＲＣまたはＳＲＣ構造物の主筋間を接続する接続構造と接続工法に関する。特に、ＰＣａ（プレキャスト）部材の主筋間の接続に好適な接続構造と接続工法に関する。
【背景技術】
【０００２】
ＲＣまたはＳＲＣ構造物において、主筋間の接続方法は、１．機械式継手を用いる方法、２．溶接または圧接による方法、３．重ね継手を用いる方法、に大別される。
１．機械式継手を用いる方法は、接続される主筋の端部間にスリーブ継手やカプラーを設けて両者を接続するものである。スリーブ継手やカプラーは、一般に主筋の鉄筋径よりかなり太くなることから、必要なかぶり厚はスリーブ継手やカプラーの太さで決まり、接続部位以外の主筋との関係では必要以上にかぶり厚が大きくなる問題がある。また、スリーブ継手やカプラーは必ずしも安価ではなく、経済性がよくないことに加えて、接続される主筋間の位置合わせが厳格に要求されるという問題もある。
【０００３】
２．溶接または圧接による方法は、雨天時には実施できないという問題がある。また、主筋として一般的に使用されている鋼種はＳＤ４９０級以下であり、通常は圧接が主として行われ、ＰＣａ部材間の主筋の溶接にはエンクローズ溶接が行われることが多い。エンクローズ溶接では、主筋の相対的なずれが３ｍｍ以下となるように、主筋の位置を高精度に管理する必要があり、また、溶接により主筋に収縮ひずみが発生するという固有の問題点がある。なお、高強度鉄筋、例えば、ＳＤ６８５級の鋼種のものを溶接により接続する場合は、フラッシュバット溶接法が採用されるが、溶接機が大型となることからタワークレーンが必須となると共に、フラッシュバット溶接法は鉄筋をその長手方向に動かしながら溶接するので、ＰＣａ部材の主筋のように位置が事実上固定されている主筋の接続には適用できない。
【０００４】
３．重ね継手を用いる方法は、上記１．２．の方法と比べて、施工的に簡便で安価であるという長所を有しており多用されている。重ね継手には、互いの主筋を重ね合わせる方式（以下、相互重ね継手という。）と、互いの主筋に別の鉄筋等を添筋として重ね合わせることで、主筋間を略同軸上で接続する方式（以下、添筋重ね継手という。）が存在し、相互重ね継手には、横重ね継手と縦重ね継手とが存在する。
【０００５】
図５に、横重ね継手の例の構造図（ａ）と断面構造図（ｂ）を示す。同図の例では、ＰＣａ部材１０１ａ及び１０１ｂを接続してコンクリート１０３を後打ちし、梁及び床スラブを構成している。ＰＣａ部材１０１ａ及び１０１ｂは各々の主筋１０２ａ及び１０２ｂの軸方向に接続されており、主筋１０２ａ及び１０２ｂと、床スラブ側の主筋１０５とにはせん断補強筋１０４が複数箇所において配設されている。各々の主筋１０２ａ及び１０２ｂは、横方向に重ね合わせられている。
【０００６】
図６に、縦重ね継手の例の構造図を示す。同図の例では、ＰＣａ部材２０１ａ及び２０１ｂを接続してコンクリート２０３を後打ちし、梁及び床スラブを構成している。ＰＣａ部材２０１ａ及び２０１ｂは各々の主筋２０２ａ及び２０２ｂの軸方向に接続されており、主筋２０２ａ及び２０２ｂと、床スラブ側の主筋２０５とにはせん断補強筋２０４が複数箇所において配設されている。各々の主筋２０１ａ及び２０１ｂは、縦方向に重ね合わせられている。
【０００７】
このような相互重ね継手において、コンクリートの割裂補強を行わない無補強の場合の重ね長さ（図５（ａ）のＬ１、図６のＬ２）は、主筋径の３０〜４０倍の長さが必要となる。
【０００８】
図７に、添筋重ね継手の例の構造図を示す。同図の例では、ＰＣａ部材４０１ａ及び４０１ｂを接続してコンクリート４０３を後打ちし、梁及び床スラブを構成している。ＰＣａ部材４０１ａ及び４０１ｂは各々の主筋４０２ａ及び４０２ｂの軸方向に接続されており、主筋４０２ａ及び４０２ｂと、床スラブ側の主筋４０５とにはせん断補強筋４０４が複数箇所において配設されている。各々の主筋４０２ａ及び４０２ｂは、添筋４０６を重ね合わせることで、略同軸上で接続されている。
【０００９】
図５、６に示すように、相互重ね継手においては、主筋を横または縦に重ね合わせる都合上、接続するＰＣａ部材として共通の構成のものを用いることはできず、主筋の位置がわずかに異なるものを個別に設計する必要があり、経済性がよくない。また、梁等の構造物ではかぶり厚を小さくしたいという要求から図５（ｂ）に示すように主筋の配列方向が、梁の下面の短手方向（同図では後打ちコンクリート１０３の下面の短手方向）と平行に設定される。このため、横重ね継手の場合には、図５（ｂ）に示す主筋間の間隔Ｃが狭くなり、主筋間及び型枠と主筋との間にコンクリートが充填されにくくなるという問題もある。特に大スパンのＰＣａ梁の接続部では、主筋が密に配されることからこの問題が顕著となる。縦重ね継手の場合には主筋間の間隔が狭くなるという問題はないが、接続される主筋の上下の位置が異なるため、接続されるＰＣａ部材の曲げ強度が異なり、構造設計が煩雑になる。
【００１０】
図７に示すように、添筋重ね継手では、主筋間を略同軸上で接続するので接続するＰＣａ部材として共通の構成のものを用いることができ、経済性に優れると共に構造設計も煩雑にならない。しかし、図７に示すように、添筋４０６を主筋４０２ａ及び４０２ｂに跨って配設することから、添筋重ね継手の総重ね長さ（図７のＬ３）は、相互重ね継手の総重ね長さ（図５（ａ）のＬ１、図６のＬ２）の約２倍となる。このため、後打ちコンクリート４０３の部分が大きくなり、現場でのコンクリート打設を少なくするというＰＣａ部材を用いたメリットが減じられることになる。
【００１１】
特許文献１には、添筋重ね継手における総重ね長さを短くした接続構造として、添筋と、添筋に沿って複数ヶ所配設される複数の割裂補強筋を備えた部材（以下、添筋ユニットという）を用いた接続構造が提案されている。
ここで、せん断補強筋は、強度設計上、所定の間隔で所定の位置に配設するように定められている。一本の添筋ユニットは複数本の割裂補強筋を有するが、複数本の割裂補強筋は、せん断補強筋とが干渉しないように、様々な間隔で溶接等で添筋に固定されている。構造物を施工するに際し、主筋間を接続する箇所は膨大な数にのぼり、接続する場所ごとにせん断補強筋の配設位置が異なるため、せん断補強筋の配置に応じて割裂補強筋の配設箇所が異なる複数種類の添筋ユニットが必要であり、施工管理が煩雑である。また、必要な添筋ユニットの割裂補強筋の配設位置を予め設計し、複数本の割裂補強筋を添筋に設計通りの位置に溶接等で固定して複数種の添筋ユニットを作製することは大変手間がかかる。
【先行技術文献】
【特許文献】
【００１２】
【特許文献１】特許第４３２７６９４号公報
【発明の概要】
【発明が解決しようとする課題】
【００１３】
本発明は、添筋重ね継手における総重ね長さを短くし、かつ、施工が容易な接続構造を提供することを課題とする。
【課題を解決するための手段】
【００１４】
１．ＲＣまたはＳＲＣ構造物の主筋間を接続する接続構造であって、
互いに向かい合う主筋間を略同軸上に接続する主筋接続部と、
前記主筋接続部に打設され、前記主筋接続部が埋設されるコンクリート部と、を有し、
前記主筋接続部は、
前記主筋間に跨ってこれらに重ね合わせて配設される添筋と、
前記添筋と前記主筋とに巻き付くように配設されるらせん筋と、を備え、
前記添筋は、当該添筋が重ね合わされる前記主筋と当該主筋に隣接する主筋とのそれぞれの軸線を通る面よりも前記コンクリート部の内方に配設されたことを特徴とする接続構造。
２．二本の主筋を端面同士が対向するように設置する工程、
前記主筋のいずれかに添筋を仮留めし、該主筋および該主筋と対向する主筋のいずれか、または両方にらせん筋を配置する工程、
前記添筋をスライドさせて、前記らせん筋の内側を通り、前記二本の主筋を跨ぐ位置に移動させる工程、
コンクリートを打設する工程、
を有することを特徴とする接続工法。
【発明の効果】
【００１５】
本発明の接続構造は、主筋と添筋とにらせん筋を巻き付くように配設して接続箇所を割裂補強することにより、総重ね長さを短くすることができる。接続される主筋は、それぞれの端面同士が対向するように設置され、本発明の接続構造により略同軸上にて接続される。接続されるＰＣａ部材における主筋の配置を同一とすることができるため、経済性に優れ、構造設計の手間を減らすことができる。
らせん筋は、軸を中心として回転させたり、バネのように伸び縮みさせることにより、位置や形状を容易に変更することができる。接続箇所ごとに異なる条件で配設されたせん断補強筋と干渉しないようにらせん筋の位置や形状を変更することが容易であるため、単一部材のらせん筋を全ての接続箇所に用いることができ、施工管理が簡便である。
【図面の簡単な説明】
【００１６】
【図１】本発明の一実施形態である接続構造が適用された構造物を示す図。
【図２】一実施形態である接続構造の構造図。
【図３】添筋の配置例を示す図。
【図４】本発明の位置実施形態である接続構造の施工方法を示す図。
【図５】従来の横重ね継手の例の構造図（ａ）と断面構造図（ｂ）。
【図６】従来の縦重ね継手の例の構造図。
【図７】従来の添筋重ね継手の例の構造図。
【発明を実施するための形態】
【００１７】
本発明は、主筋間を添筋重ね継手により接続する接続構造と、この接続構造を施工する接続工法に関する。
「接続構造」
図１に、本発明の一実施態様である接続構造が適用された構造物を示す。
図１に示す構造物は、ＲＣ構造物、またはＳＲＣ構造物であり、柱１間に梁２が架設され、梁２の上部には床スラブが一体に構成されている。
図１に示す構造物において、梁２は、上部はコンクリートを後打ちすることにより床スラブと一体に構成され、中部から下部はＰＣａ部材１１ａ及び１１ｂ（以下、総称するときはＰＣａ部材１１という。）からなり、ＰＣａ部材１１ａと１１ｂは、一実施態様である接続構造により接続されている。
【００１８】
図２（ａ）に、一実施態様である接続構造の構造図を示す。一実施態様である接続構造は、２つのＰＣａ部材１１ａ及び１１ｂを、その主筋１２ａ及び１２ｂ（以下、総称するときは主筋１２という）の軸方向に接続するものであり、ＰＣａ部材１１ａ及び１１ｂから突出するそれぞれの主筋１２ａ及び１２ｂ間を略同軸上に接続する主筋接続部１０と、ＰＣａ部材１１ａ及び１１ｂ間の空隙に後打ちされ、主筋接続部１０が埋設されるコンクリート部１３と、を有する。主筋１２と、床スラブ側の主筋１５とには、外周を取り巻くようにせん断補強筋１４が複数箇所に配設されている。
【００１９】
ＰＣａ部材１１ａ及び１１ｂは、それぞれの主筋１２ａ及び１２ｂの端面同士が対向するように設置され、主筋１２ａ及び１２ｂは略同軸上にて接続される。そのため、ＰＣａ部材１１ａ及び１１ｂは、同一の断面構造のものを用いることができ、相互重ね継手の場合のように個別に設計する必要はない。主筋接続部１０は、主筋１２ａと主筋１２ｂとの間に跨ってこれらに重ね合わせて配設される添筋１６と、添筋１６と主筋１２ａ及び１２ｂとに巻き付くように配設される二本のらせん筋１７ａ及び１７ｂ（以下、総称するときはらせん筋１７という）と、を備える。
【００２０】
なお、各主筋１２ａと各主筋１２ｂとの各突き合わせ位置は、千鳥状とすることもできる。これは、梁２が大スパンである等、梁２に作用する常時荷重が大きい場合、各突き合わせ位置を同列とすると、その部分に大きなひび割れが集中して発生する可能性があるためである。千鳥状とすることでコンクリートの後打ち部分は若干長めになるものの、ひび割れの集中を抑制できる。
【００２１】
添筋１６は、例えば、異形鉄筋や丸鋼からなり、そのいずれも採用することができる。丸鋼は、付着強度が低く、異形鉄筋と比較して重ね長さを長くする必要があることから、異形鉄筋を用いることが好ましい。一実施態様である接続構造において、添筋１６は、主筋１２に対して、縦重ね継手における主筋−主筋間の配置のように縦並び状に配置されている。上述した通り、梁等の構造物では、かぶり厚を小さくしたいという要求から主筋の配列方向が梁の下面の短手方向と平行に設定され、この結果、横重ね継手の場合は主筋間の間隔が狭くなり、主筋間へのコンクリートの充填不足を生じるという問題があるが、一実施態様である接続構造の場合、添筋１６がＰＣａ部材１１における主筋１２に対して縦重ね継手の場合のように縦並び状に配設しているので、主筋１２と添筋１６とが横並びにならず、このような問題は生じない。
【００２２】
なお、一実施態様である接続構造では、添筋１６を主筋１２に対して縦並び状に配設しているが、本発明の接続構造では、縦並び状に限られず、添筋１６はこれが重ね合わされる主筋１２とこれに隣接する主筋１２とのそれぞれの軸線を通る面よりもコンクリート部１３の内方に位置していれば、主筋間へのコンクリートの充填が妨げられることはなく、添筋１６はその範囲で任意の位置に配設できる。例えば、図３に示すように、同図左側の主筋１２に重ね合わされる添筋１６を主筋１２の斜め上方に配置することもできる。この配置であっても、同図左側の主筋１２とこれに隣接する同図右側の主筋１２とのそれぞれの軸線を通る面Ｓよりもコンクリート部１３の内方（同図上方）に添筋１６が配設されているので、左右の主筋１２間へのコンクリートの充填スペースが確保され、充填が妨げられることがない。
【００２３】
らせん筋１７は、例えば、異形鉄筋や丸鋼からなり、そのいずれを採用しても割裂補強の効果に大差はない。各らせん筋１７は、一本の鉄筋を曲折して構成されている。本実施形態は、二本のらせん筋１７ａ、１７ｂを有するが、本発明の接続構造に使用するらせん筋の本数は特に限定されず、例えば、隣接するせん断補強筋１４の間に、それぞれ一本ずつらせん筋を配設することもできる。
本発明の接続構造において、らせん筋１７は、添筋１６と主筋１２とに巻き付くように配設される。そのため、らせん筋１７は、その内径が添筋１６と主筋１２とを内包できる大きさであることが必要である。
らせん筋１７は、現場において、特別な機械等を用いることなく、容易にバネのように伸び縮みさせられることが好ましく、その呼び径が６ｍｍ以上１３ｍｍ以下であることが好ましい。らせん筋１７の呼び径が６ｍｍより細いと、十分な割裂補強効果を得るためにらせん筋のピッチをかなり狭くする必要があり、らせん筋の内部にコンクリート不充填部ができる恐れがある。らせん筋１７の呼び径が１３ｍｍより太いと、剛性が強くなりすぎて、伸び縮みさせるのが困難となる。
【００２４】
「接続工法」
本発明の接続工法は、
二本の主筋を端面同士が対向するように設置する工程、
前記主筋のいずれかに添筋を仮留めし、該主筋および該主筋と対向する主筋のいずれか、または両方にらせん筋を配置する工程、
前記添筋をスライドさせて、前記らせん筋の内側を通り、前記二本の主筋を跨ぐ位置に移動させる工程、
コンクリートを打設する工程、
を有する。
本発明の接続工法を、図２に示す一実施態様である接続構造の施工を例として図４を用いて順に説明する。
【００２５】
まず、クレーン等を用いて、ＰＣａ部材１１を所定の位置に設置する。ＰＣａ部材１１ａ及び１１ｂは、それぞれの主筋１２ａ及び１２ｂの端面同士が対向するように設置される（図４Ａ）。
添筋１６を一方の主筋１２ｂのコンクリート部の内方となる側に結束線等で仮留めし、らせん筋１７ａを主筋１２ａに巻き付くように、らせん筋１７ｂを添筋１６と主筋１２ｂに巻き付くように配置する（図４Ｂ）。なお、ＰＣａ部材１１ａ及び１１ｂを設置する際に、添筋１６とらせん筋１７ａ及び１７ｂを、予め主筋１２ａ及び１２ｂに仮留めしておくこともできる。
床スラブ側の主筋１５を配設した後、主筋１２ａ及び１２ｂと主筋１５の外周を取り巻くように、せん断補強筋１４を配設する。この際、せん断補強筋１４の配設場所とらせん筋１７とが干渉する場合は、らせん筋１７を回転させる、または、バネの様に伸び縮みさせることにより、らせん筋１７をせん断補強筋１４と干渉しない位置にずらし、せん断補強筋１４を設計通りの位置に配設する（図４Ｃ）。
らせん筋１７ａ及び１７ｂの位置、形状等を整え、必要に応じてらせん筋１７を結束線等で固定する。添筋１６の仮留めを解除し、添筋１６をスライドさせて、らせん筋１７の内側を通り、主筋１２ａ及び１２ｂを跨ぐ位置に移動させ、必要に応じて添筋１６を結束線等で固定する（図４Ｄ）。
最後に、コンクリート部を構成するコンクリートを打設することにより、図２に示す一実施態様である接続構造が施工される。
【００２６】
＜他の実施形態＞
本発明の接続構造は、一実施態様のように梁の下側の主筋の接続に限定されるものではなく、下側の主筋、床スラブ側の主筋のいずれか、または両方の接続に用いることができる。また、添筋１６は、主筋１２と同径のもの、または、異径のものを使用することができ、また、複数本の鉄筋を並列させたものを添筋１６とすることもできる。
【００２７】
本発明の接続構造は、添筋１６と主筋１２とに巻き付くようにらせん筋１７を配設することにより、添筋１６と主筋１２との総重ね長さを短くできる。すなわち、本発明の接続構造により、添筋重ね継手であるにも関わらず、相互重ね継手と同等の総重ね長さにすることができ、現場で打設するコンクリート量を少なくすることができる。
らせん筋１７は、回転させる、または、伸び縮みさせることにより、容易にせん断補強筋１４との干渉を避けることができるため、せん断補強筋１４を設計通りの位置に配設することができる。さらに、単一部材のらせん筋１７を、せん断補強筋１４の配設位置が異なる接続箇所に適用することができるため、接続箇所ごとに形状の異なるらせん筋１７を使い分ける必要がなく、施工管理が簡便である。
らせん筋１７は、添筋１６と主筋１２とに巻き付くように配設されるので、添筋１６を動かないように主筋１２に確実に固定することができる。このため、コンクリートを打設する際、これにバイブレータ等により振動を加えても、主筋１２に対する添筋１６の位置がずれてしまい、例えば、横重ね継手における主筋−主筋間の配置のように添筋１６と主筋１２とが横並び状に至る事態を防止することができる。さらに、溶接のように雨天時に実施できないということがない。
【符号の説明】
【００２８】
１            柱
２            梁
１０          主筋接続部
１１ａ、ｂ    ＰＣａ部材
１２ａ、ｂ    主筋
１３          コンクリート部
１４          せん断補強筋
１５          主筋（床スラブ側）
１６          添筋
１７ａ、ｂ    らせん筋
【図１】
2018025035.tif 000003
【図２】
2018025035.tif 000004
【図３】
2018025035.tif 000005
【図４】
2018025035.tif 000006
【図５】
2018025035.tif 000007
【図６】
2018025035.tif 000008
【図７】
2018025035.tif 000009